(57)【特許請求の範囲】
【請求項１】
各々複数個の偏向及び案内ローラ（１１，２１）によって循環される無端バンドを各々備えた第１のプラント部と、第２のプラント部とを有し、
前記第１のプラント部が、長尺搬送表面を有するワイヤスクリーン（１）を備えておりかつその一端に隣接配置された吹き付け装置（３）によって水分を含んだ紙パルプを前記ワイヤスクリーン上に吹き付けるように成し、
第２のプラント部が、フェルトバンド（２）を備えておりかつ前長尺搬送表面の他端から搬送されてきた紙ウェブから更に残留湿気を吸収するように成したワイヤスクリーン又はフェルトバンドを介して脱水処理するための抄紙機における脱水処理装置において、
前記第１のプラント部が、前記ワイヤスクリーン（１）の裏面おいて搬送方向に沿って間隔を置きかつ該搬送方向に対して横断方向に並置された支持装置（４）及び該支持装置に続いて複数の吸引装置（５）を配置されており、
前記支持装置（４）及び吸引装置（５）が、移動するワイヤスクリーン又はフェルトバンドの裏面に接する搬送フレーム（４２，５２，６２）を備えており、
前記搬送フレーム内には耐磨耗性材料で作られた端部（４８）を有する複数個の支持エレメント（４３，４４；５３，５４；６３，６４）が収容されており、
前記支持エレメントの内の幾つかが、ワイヤスクリーン又はフェルトバンドからの距離を前記搬送フレーム（４２，５２，６２）に対して調節可能に支持されていると共にそれ以外のものが該支持フレームに固定された２つのグループから構成されており、
前記支持エレメントの一方の可動なグループ（４４；５４；６４）と他方の固定されたグループ（４３；５３；６３）とが、前記ワイヤスクリーン又はフェルトバンドの移動方向に沿って実質上列を成して交互に配置されており、
更に、前記吸引装置（５）の搬送フレーム（４２，５２，６２）が、ワイヤスクリーン又はフェルトバンドに真空を作用させるための真空源に接続されていることを特徴とする抄紙機における脱水処理装置。
【請求項２】
前記支持エレメント（４３，４４；５３，５４；６３，６４）が、ワイヤスクリーン又はフェルトバンド（１；２）に面した側においてレスト（４３a，４４a；５３a，５４a；６３a，６４a）を設けられておりかつ該レストが移動するワイヤスクリーン又はフェルトバンドに対して耐摩耗性を有する材料から形成されていることを特徴とする、請求項１記載の脱水処理装置。
【請求項３】
前記搬送フレーム（４２；５２；６２）内に、前記支持エレメント（４３，４４；５３，５４；６３，６４）を支持する搬送ストリップ（４５，４６；５５，５６；６５，６６）が設けられていることを特徴とする請求項１記載の脱水処理装置。
【請求項４】
動作中にワイヤスクリーン又はフェルトバンド（１；２）が搬送装置内を循環し、移動するワイヤスクリーン又はフェルトバンドに対して耐摩耗性を有するレスト（４２a、５２a、６２a）が、前記搬送フレーム（４２；５２；６２）のワイヤスクリーン又はフェルトバンドに面した側に配置されており、
前記レストが、ワイヤスクリーン又はフェルトバンドの移動方向に対して横断方向に前記支持エレメントに面した縁部（５２ｂ；６２ｂ）を有しており、
該縁部に、ワイヤスクリーン又はフェルトバンドの移動方向に対して鋭角を成して延びた部分が形成されていることを特徴とする請求項１記載の脱水処理装置。
【請求項５】
前記レスト（４２a、５２a、６２a）の前記縁部（５２ｂ；６２ｂ）が、波形を有していることを特徴とする請求項４記載の脱水処理装置。
【請求項６】
動作中にワイヤスクリーン又はフェルトバンド（１；２）が前記搬送装置内を循環し、前記搬送フレーム（４２；５２；６２）が、ワイヤスクリーン又はフェルトバンドの移動方向に対して横断方向に取り付けられており、前記搬送フレームをワイヤスクリーン又はフェルトバンドの移動方向に対して横断方向に振動させるために、前記搬送フレームに駆動装置（７２，７３，７４）が接続されていることを特徴とする請求項１記載の脱水処理装置。
【請求項７】
前記搬送フレーム（４２；５２；６２）が、吸引ボックスとして形成されたハウジング（４１；５１；６１）の一部を構成していることを特徴とする請求項１記載の脱水処理装置。
【請求項８】
前記吸引ボックスとして形成されたハウジング（４１；５１；６１）が、ワイヤスクリーン又はフェルトバンド（１；２）の移動方向に対して横断方向に振動するように取り付けられており、
前記吸引ボックスを振動させるために該吸引ボックスに駆動装置（７２，７３，７４）が接続されていることを特徴とする請求項７記載の脱水処理装置。
【請求項９】
前記支持エレメント（４３，４４；５３，５４；６３，６４）が、ワイヤスクリーン又はフェルトバンド（１；２）に面した端部に高い耐摩耗性を有する材料で作られたキャップ（４８）を挿入された管状片で構成されていることを特徴とする請求項１記載の脱水処理装置。
【請求項１０】
前記キャップ（４８）の表面側の縁部が面取りされ若しくは丸み付けられており、前記キャップの反対側において、前記管状片に挿入するための延長部（４８ａ）が形成されていることを特徴とする、請求項９記載の脱水処理装置。
【請求項１１】
前記縁部が傾斜していることを特徴とする請求項１０記載の脱水処理装置。
【請求項１２】
前記キャップ（４８）の表面を、凸面状に湾曲させたことを特徴とする請求項９記載の脱水処理装置。
【発明の詳細な説明】
【技術分野】
【０００１】
本発明は製紙分野における抄紙機に関する。より具体的には、本発明は、各々複数個の偏向及び案内ローラによって循環される無端バンドを各々備えた第１のプラント部と、第２のプラント部とを有し、前記第１のプラント部が、長尺搬送表面を有するワイヤスクリーンを備えておりかつその一端に隣接配置された吹き付け装置によって水分を含んだ紙パルプを前記ワイヤスクリーン上に吹き付けるように成し、第２のプラント部が、フェルトバンドを備えておりかつ前長尺搬送表面の他端から搬送されてきた紙ウェブから更に残留湿気を吸収するように成した抄紙機における脱水処理装置に関する。
【背景技術】
【０００２】
従来の抄紙機は、第１のプラント部と第２のプラント部とを有しており、第１のプラント部において、プラスチックから製造された少なくとも１つのワイヤ（スクリーン又はスクリーンバンドとも呼ばれる）が配置されており、第２のプラント部には少なくとも１つのフェルトバンドが配置されている。これら２つのスクリーン及びバンドは、プラントが運転中には、案内ローラ又は偏向ローラを介して循環させられる無端バンドである。ワイヤスクリーンには紙パルプが提供され、この紙パルプから、紙パルプに含まれている液体が、ワイヤスクリーンの移動経路に沿って排出される、特に吸い出される。引き続き、その結果出来上がった紙ウェブは、少なくとも１つの後続のフェルトバンド上へ搬送され、このフェルトバンドは、紙ウェブに含まれている残留湿気を吸収する。
【０００３】
ワイヤスクリーン及びフェルトバンドは、その移動経路に沿って配置された装置によって処理される。装置の第１のプラント部によって、ワイヤスクリーンの下側において紙ウェブから出た液体は吸い取られる。装置の第２のプラント部によって、フェルトバンドもまた紙ウェブの残留湿気を排除するために、吸引力を作用される。これらの吸引装置は、ワイヤスクリーン又はフェルトバンドに面した上側において、バンドの移動によって生ぜしめられる摩耗に対して高い耐性を有するように設計されている。
【０００４】
この形式の従来の脱水装置は、この点に関して、ワイヤスクリーン又はフェルトバンドの移動方向に対して横断方向に向けられたストリップを備えた構成となっており、これらのストリップは、ワイヤスクリーン又はフェルトバンドは、ストリップに当接するために、高い耐摩耗性材料、例えばセラミック材料から形成されている。
【０００５】
これらの装置が真空源に接続されている限り、ワイヤスクリーン又はフェルトバンドのできるだけ大きな領域に亘って吸引作用を生ぜしめる必要がある。この場合、技術的要求は互いに矛盾する。なぜならば、一方では、ワイヤスクリーン又はフェルトバンドはできるだけ大きな面積に亘ってストリップに支持されるべきであり、他方では、吸引力が加えられるストリップの面積も、できるだけ大きくされるべきだからである。さらに、１つの目的は、ワイヤスクリーン及びフェルトバンドを、移動方向に対して横断する方向に作用するストリップの吸引作用による引張力に晒されることであり、この引張力によってワイヤスクリーン及びフェルトバンドに載置された紙パルプ或いは紙ウェブは横幅方向に引っ張られ、その結果、ワイヤスクリーン又はフェルトバンドから繊維、液体及び同様のものを除去し易くなる。さらに、紙質に影響する好ましくない乱流が、これらの引張負荷によって紙ウェブに生ぜしめられる。
【発明の開示】
【発明が解決しようとする課題】
【０００６】
したがって、本発明の課題は、この一般的な形式の従来公知の装置及び方法の前記欠点を克服するためのワイヤスクリーン又はフェルトバンドを備えた抄紙機において原料パルプの脱水処理を行うための装置を提供することである。すなわち、本発明の課題は、この装置によって、ワイヤスクリーン又はフェルトバンドに面した側においてスクリーン又はバンドの移動方向に対して横断方向に配列されたストリップが設けられた従来の装置よりも、上記した条件をより一層満足されるような装置を提供することである。
【課題を解決するための手段】
【０００７】
前記課題及びその他の課題を考慮して、本発明によれば、前記第１のプラント部が、前記ワイヤスクリーンの裏面おいて搬送方向に沿って間隔を置きかつ該搬送方向に対して横断方向に並置された支持装置及び該支持装置に続いて複数の吸引装置を配置されており、前記支持装置及び吸引装置が、移動するワイヤスクリーン又はフェルトバンドの裏面に接する搬送フレームを備えており、前記搬送フレーム内には耐磨耗性材料で作られた端部を有する複数個の支持エレメントが収容されており、前記支持エレメントの内の幾つかが、ワイヤスクリーン又はフェルトバンドからの距離を前記搬送フレームに対して調節可能に支持されていると共にそれ以外のものが該支持フレームに固定された２つのグループから構成されており、前記支持エレメントの一方の可動なグループと他方の固定されたグループとが、前記ワイヤスクリーン又はフェルトバンドの移動方向に沿って実質上列を成して交互に配置されており、更に、前記吸引装置の搬送フレームが、ワイヤスクリーン又はフェルトバンドに真空を作用させるための真空源に接続されていることを特徴とする抄紙機における脱水処理装置が提供される。
【０００８】
好適には、前記支持エレメントは、ワイヤスクリーン又はフェルトバンドに面した側においてレストを設けられておりかつ該レストが移動するワイヤスクリーン又はフェルトバンドに対して耐摩耗性を有する材料から形成されている。さらに、更に、搬送フレーム内に、支持エレメントを作動する搬送ストリップが設けられている。
【０００９】
好適には、動作中にワイヤスクリーン又はフェルトバンドが搬送装置内を循環し、移動するワイヤスクリーン又はフェルトバンドに対して耐摩耗性を有するレストが、搬送フレームのワイヤスクリーン又はフェルトバンドに面した側に配置されており、前記レストが、ワイヤスクリーン又はフェルトバンドの移動方向に対して横断方向に支持エレメントに面した縁部を有しており、この縁部に、ワイヤスクリーン又はフェルトバンドの移動方向に対して鋭角を成して延びた部分が形成されている。特に、この場合、ワイヤスクリーン又はフェルトバンドの移動方向に対して横断方向に延びたレストの縁部は、波形を有している。
【００１０】
別の好適な実施形態によれば、動作中にワイヤスクリーン又はフェルトバンドが搬送装置内を循環し、搬送フレームはワイヤスクリーン又はフェルトバンドの移動方向に対して横断方向に取り付けられており、前記搬送フレームをワイヤスクリーン又はフェルトバンドの移動方向に対して横断方向に振動させるために、前記搬送フレームに駆動装置が接続されており、この駆動装置によって、搬送フレームはワイヤスクリーン又はフェルトバンドの移動方向に対して横断方向に振動させることができる。この場合、搬送フレームは吸引ボックスの一部を形成していてよく、好適には吸引ボックスは、駆動装置によって移動方向に対して横断方向に振動可能に設計されている。
【００１１】
さらに、好適には、支持エレメントはワイヤスクリーン又はフェルトバンドに面した端部に高い耐摩耗性を有する材料で作られたキャップを挿入された管状片で構成されている。この場合、キャップの表面側の縁部は、面取りされ若しくは丸味付けられた構成を有しており、これらのエレメントには、反対側において延長部が設けられており、これらの延長部によってエレメントは管状片内に挿入される。さらに、これらのエレメントには、ワイヤスクリーン又はフェルトバンドに対して凸面状に湾曲させられた面が設けられていてもよい。
【００１２】
本発明にとって独特であると考えられるその他の特徴は従属請求項に示されている。
【００１３】
本発明は、ここでは、抄紙機に設けられておりかつ循環させられる少なくとも１つのワイヤスクリーン又はこの形式のプラントに設けられた少なくとも１つのフェルトバンドの処理、特にこれらに対する真空作用のための装置において具体化されたものとして説明及び記載されているが、本発明は示された詳細に限定されるものではない。なぜならば、本発明の思想から逸脱することなく、また請求項の均等物の範囲内で、様々な修正及び構造的変更がなされている。からである。
【００１４】
しかしながら、本発明の構造及び作動方法は、本発明の付加的な課題及び利点と共に、添付の図面を参照して読まれた場合に、特定の実施形態の以下の説明から最もよく理解されるであろう。
【発明を実施するための最良の形態】
【００１５】
最初に、本発明によるワイヤスクリーン又はフェルトバンドを備えた抄紙機において脱水処理するための装置を図１に従って詳しく参照すると、紙ウェブ１０を製造するためのプラント又は設備が示されている。プラントは２つのプラント部分から構成されている。第１のプラント部分に配置されたプラスチックから製造されたワイヤスクリーン（以下、便宜上簡略化して、単に「ワイヤ」と呼ぶ）１と、紙ウェブ１０の移動方向で後続する第２のプラント部分に配置された２対のフェルトバンド２とが設けられている。ワイヤ１は紙パルプ吹き付け装置３に隣接配置されており、この装置によって紙パルプが数メータの幅に亘ってワイヤ１上に吹き付けられる。それ自体が密閉されたワイヤ１は、複数の偏向若しくは案内ローラ１１を介して循環される。ワイヤ１の移動経路の第１の領域、つまり紙パルプ吹き付け装置３の下流において、ワイヤ１は３つの装置４に配属されており、これらの装置４は以下で図２Ａを参照して説明される。さらに引き続き、ワイヤ１は複数の吸引装置５に配属されており、これらの吸引装置５は以下に図２Ｂを参照に説明される。吸引装置５には調整装置５１aが設けられており、これらの調整装置５１aによって吸引装置の脱水動作モードが制御される。
【００１６】
第２のプラント部分に配置されたフェルトバンド２の対は、同様に、偏向ローラ及び案内ローラ２１によって循環させられることができる。フェルトバンド２は、吸引装置６に配属されており、これらの吸引装置６は以下で図２Ｃを参照にして説明される。偏向及び案内ローラの対を構成するそれぞれのグループにおける少なくとも１つのローラが、張設ローラ２１ａとして設計されている。
【００１７】
図２Ａから明らかなように、装置４には、ワイヤ１に面した側において、断面が三角形のハウジング４１が設けられており、このハウジング４１上には、ワイヤ１の移動方向Ａ及びこの移動方向に対して横断方向に互いに並置された複数の固定支持エレメント４３のための搬送フレーム４２が配置されている。搬送フレーム４２は、ハウジング４１に解放可能に取り付けられている。支持エレメント４３は搬送フレーム４２に固く取り付けられているのに対し、支持エレメント４４は、ワイヤ１に関する高さが、搬送フレーム４２に対して調節可能である。フレーム４２及び支持エレメント４３及び４４は、ワイヤ１に面した側において、レスト４２ａ，４３ａ，４４ａが設けられており、これらのレストは、耐摩耗性の高い材料、特にセラミック材料から形成されている。
【００１８】
図２Ｂから明らかなように、吸引装置５は、ワイヤ１の幅に亘って延びたハウジング５１から成っており、このハウジング５１内にはダクト５０が配置されており、このダクト５０には真空源が接続されている。同様にワイヤ１に面した側には搬送フレーム５２が配置されており、この搬送フレーム５２内には、定置の支持エレメント５３と調整可能な支持エレメント５４とが配置されている。搬送フレーム５２は同様にハウジング５１に解放可能に取り付けられている。搬送フレーム５２及び支持エレメント５３及び５４にも、耐摩耗性の高い材料、特にセラミック材料から成るレスト５２ａ，５３ａ，５４ａが設けられており、これらのレストに対してワイヤ１が当接する。ワイヤ１の移動方向は矢印Ａによって示されている。
【００１９】
図２Ｃから明らかなように、装置６は、フェルトバンド２の幅に亘って延びた管状のハウジング６１から成っており、このハウジング内にはダクト６０が配置されており、このダクト６０には同様に真空源が接続されている。フェルトバンド２に面したこのハウジング６１の側には、ハウジング６１に解放可能に取り付けられた搬送フレーム６２が取り付けられており、この搬送フレーム６２内には固定の支持エレメント６３と、フェルトバンド２に関して調節可能な可動の支持エレメント６４とが配置されている。搬送フレーム６２及び支持エレメント６３及び６４には、耐摩耗性の高い材料、特にセラミック材料から成るレスト６２ａ，６３ａ，６４ａが設けられている。フェルトバンド２の移動方向は矢印Ｂによって示されている。
【００２０】
図３Ａ及び図３Ｂから明らかなように、吸引装置５の場合には、搬送フレーム５２は、その内部に配置された固定搬送ストリップ５５と可動搬送ストリップ５６とを有している。固定搬送ストリップ５５は、搬送フレーム５２に固定配置されており、固定搬送ストリップ５５には高さ調節不可能な固定支持エレメント５３が取り付けられている。可動搬送ストリップ５６は、搬送フレーム５２の上側からの距離に関して調整可能であり、これらの可動搬送ストリップ５６には調整可能な可動支持エレメント５４が取り付けられている。さらに、ワイヤ１の移動方向Ａに対して横断方向に配設されたレスト５２ａの内側縁部５２ｂは、移動方向に対して鋭角に延びた部分が設けられており、この部分は、特に波線の形状を有している。さらに、搬送フレーム５２には、ワイヤ１の縁部の領域に配属された側において、ワイヤ１に対して横断方向における長さ調整可能な部分５７が設けられており、この部分５７によって、吸引オリフィスのサイズを設定することができる。これらの部分５７にも、耐摩耗性の高いレスト５７ａが設けられている。
【００２１】
同様に図３Ｂから明らかなように、さらに、ワイヤ１の移動方向Ａで見てレスト５２ａの前縁には、くさび形の延長部５２ｂが形成されており、この延長部５２ｂによって装置５の剥離動作が改良される。
【００２２】
支持エレメント５３及び５４の種々異なる高さにより、ワイヤ１は、支持エレメント５３及び５４上を通過する間波形を形成しながら移動させられ、その結果ワイヤは引張負荷を受ける。さらに、波線形状の縁部５２ｂにより、ワイヤ１は、搬送フレーム５２上を通過する間、移動方向Ａに対して横断方向に搬送フレーム５２の平面に作用する引張負荷を受ける。これらの引張負荷の両方は、ワイヤ１に存在する不純物及び液体がワイヤからより簡単に除去されることができるという効果を有しており、これにより、液体が紙パルプから流出することがより容易になる。その結果、さらに、ワイヤ１に加えられる吸引力の作用が決定的に改良される。さらに、紙ウェブの品質に影響する乱流は、これらの引張負荷によって紙ウェブに生ぜしめられる。
【００２３】
図２に示した装置４の搬送フレーム４２は同じ構造を有しているが、この装置には真空源が接続されていない。
【００２４】
図４Ａ及び図４Ｂから明らかなように、フェルトバンド２に配属された吸引装置６は同様の構造を有している。この場合にも、搬送フレーム６２は、この搬送フレーム内に配置された、支持エレメント６３を備えた定置の搬送ストリップ６５と、フェルトバンド２に対して調整可能な搬送ストリップ６６とを有しており、この搬送ストリップ６６は、調整可能な支持エレメント６４を有しており、レスト６２ａの縁部６２ｂは、フェルトバンド２の移動方向Ｂに対して横断方向で波線形状に形成されている。これによりフェルトバンド２に加えられる引張負荷の結果、フェルトバンドは、吸引装置６上を通過する間複数の方向に引っ張られ、その結果、これらのフェルトバンドに含まれている不純物及び液体がより容易に除去され、フェルトバンド２に加えられる吸引力の作用が増大される。縁部６２ｂが、フェルトバンド２の長手方向軸線に関して互いから増大する距離において延びている限りは、フェルトバンド２の移動方向に対して横断方向に向けられた引張力が、これによりフェルトバンドに加えられ、その結果、フェルトバンド２におけるしわが回避される。この効果は、ワイヤ１に関する装置４，５の同様に設計された縁部にも当てはまる。
【００２５】
図５から明らかなように、固定支持エレメント４３は、互いに割り当てられたスロットによって固定搬送ストリップ４５上に配置された管状片として構成されていてよく、前記固定支持エレメント４３は、ねじエレメント４７によって固定搬送ストリップ４５に取り付けられている。キャップ４８は、管状片の、ワイヤ１またはフェルトバンド２に面した側の端部に挿入されている。この目的のために、キャップ４８には円筒状の延長部が設けられており、この延長部によってキャップは管状片に挿入されている。キャップ４８は耐摩耗性の高い材料、特にセラミック材料から製造されている。この場合、キャップ４８は、種々異なる三次元形状を有している。特に、キャップは、面取りされている、特に傾斜されているか、丸み付けられている。さらに、これらのキャップ４８は、ワイヤ１に対して湾曲されるように設計されている。可動の支持エレメント４４、固定及び可動の支持エレメント５３，５４及び６３，６４は、同様に設計されており、固定の又は調整可能な可動の搬送ストリップに取り付けられている。
【００２６】
図６Ａから明らかなように、このことは装置５，６にも当てはまり、装置４のハウジング４１は、搬送スタンド７１上で、ワイヤ１またはフェルトバンド２の移動方向Ａ及びＢに対して横断方向に二重矢印Ｃの方向に前後に移動可能であり、前記ハウジングはサーボモータ７２に配属されており、このサーボモータによってハウジングは、偏心シャフト７３及びプッシュロッド７４を介して振動が伝達される。
【００２７】
択一的に、図６Ｂに示したように、搬送フレーム４２は、二重矢印Ｃの方向で前後に移動可能であるようにハウジング４１に取り付けられており、前記搬送フレームは、ワイヤ１の移動方向Ａに対して横断方向に、駆動モータ７２によって、偏心シャフト７３及びプッシュロッド７４によって振動Ｃが加えられる。搬送フレーム５２，６２も、ワイヤ１又はフェルトバンド２の移動方向Ａに対して横断方向に移動可能に同じように取り付けられている。
【００２８】
搬送フレーム及び支持エレメントのこの種の振動により、ワイヤ１又はフェルトバンド２は、より強く、複数の方向に作用する引張負荷を受け、その結果、引張負荷の作用、特にその吸引作用はさらに増大される。
【図面の簡単な説明】
【００２９】
【図１】本発明による処理装置が設けられた抄紙機の概略図である。
【図２Ａ】本発明による処理装置の３つの異なる実施形態のうちの一つを側面図及び断面図で示している。
【図２Ｂ】本発明による処理装置の３つの異なる実施形態のうちの別な一つを側面図及び断面図で示している。
【図２Ｃ】本発明による処理装置の３つの異なる実施形態のうちの更に別な一つを側面図及び断面図で示している。
【図３Ａ】本発明による処理装置の第４の実施形態の斜視図である。
【図３Ｂ】第４の実施形態の側面図である。
【図４Ａ】本発明による処理装置の第５の実施形態の斜視図である。
【図４Ｂ】第５の実施形態の側面図である。
【図５】５つの異る構成を備えた支持エレメントの斜視図である。
【図６Ａ】ワイヤまたはフェルトバンドの移動方向に対して横断方向に振動移動を行うことができる本発明による処理装置の斜視図である。
【図６Ｂ】このような処理装置の別の実施形態の斜視図である。
【符号の説明】
【００３０】
１  ワイヤスクリーン（ワイヤ）
２  フェルトバンド
３  紙パルプ吹き付け装置
４  支持装置
５  吸引装置
６  吸引装置
１０  紙ウェブ
２１  案内ローラ
２１ａ  張設ローラ
４１  ハウジング
４２  搬送フレーム
４３  固定支持エレメント
４４  可動支持エレメント
４２ａ  レスト
４３ａ  レスト
４４ａ  レスト
４５  固定搬送ストリップ
４６  可動搬送ストリップ
４７  ねじエレメント
４８  キャップ
５０  ダクト
５１  ハウジング
５１a  調整装置
５２  搬送フレーム
５３  固定支持エレメント
５４  可動支持エレメント
５２ａ  レスト
５２ｂ  内側縁部
５３ａ  レスト
５４ａ  レスト
５５  固定搬送ストリップ
５６  可動搬送ストリップ
５７  レスト
５７ａ  レスト
６０  ダクト
６１  ハウジング
６２  搬送フレーム
６３  固定支持エレメント
６４  可動支持エレメント
６２ａ  レスト
６３ａ  レスト
６４ａ  レスト
７１  搬送スタンド
７２  サーボモータ
７３  偏心シャフト
７４  プッシュロッド
【図１】
0004109179.tif 000002
【図２Ａ】
0004109179.tif 000003
【図２Ｂ】
0004109179.tif 000004
【図２Ｃ】
0004109179.tif 000005
【図３Ａ】
0004109179.tif 000006
【図３Ｂ】
0004109179.tif 000007
【図４Ａ】
0004109179.tif 000008
【図４Ｂ】
0004109179.tif 000009
【図５】
0004109179.tif 000010
【図６Ａ】
0004109179.tif 000011
【図６Ｂ】
0004109179.tif 000012